【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
少なくとも時分割複信（ＴＤＤ）の第１のコンポーネントキャリアと周波数分割複信（ＦＤＤ）の第２のコンポーネントキャリアとのキャリアアグリゲーション（ＣＡ）のために構成されたモバイルデバイスによるワイヤレス通信の方法であって、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断することと、
ＤＬサブフレームの前記セット上での送信に関連付けられた制御情報を生成することと、ここにおいて、前記制御情報は、ハイブリッド自動再送要求（ＨＡＲＱ）フィードバックを備える、
前記関連付けに基づいて前記第１のコンポーネントキャリアの前記ＵＬサブフレーム上で前記制御情報を送ることと、ここにおいて、前記ＦＤＤの第２のコンポーネントキャリアの各ＤＬサブフレームが前記第１のコンポーネントキャリアの対応するＵＬサブフレームに関連付けられる、を備える、方法。
【請求項２】
前記ＵＬサブフレームが、最小ＨＡＲＱ処理時間を条件としてＤＬサブフレームの前記セット上での前記送信のためにＨＡＲＱフィードバックを与えるための最も近い後続のＵＬサブフレームを備える、請求項１に記載の方法。
【請求項３】
前記関連付けが、前記第１のコンポーネントキャリアの前記アップリンクダウンリンク構成に関して前記ＦＤＤサブフレームのためのＨＡＲＱフィードバックの分配を指定する、請求項１に記載の方法。
【請求項４】
前記制御情報がＨＡＲＱフィードバックビットを備え、前記制御情報を送ることが、ＤＬサブフレームの前記セット中の２つ以上のサブフレームのために前記ＨＡＲＱフィードバックビットをバンドルすることを備える、請求項１に記載の方法。
【請求項５】
少なくとも時分割複信（ＴＤＤ）の第１のコンポーネントキャリアと周波数分割複信（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断するための手段と、
ＤＬサブフレームの前記セット上での送信に関連付けられた制御情報を生成するための手段と、ここにおいて、前記制御情報は、ハイブリッド自動再送要求（ＨＡＲＱ）フィードバックを備える、
前記関連付けに基づいて前記第１のコンポーネントキャリアの前記ＵＬサブフレーム上で前記制御情報を送るための手段と、ここにおいて、前記ＦＤＤの第２のコンポーネントキャリアの各ＤＬサブフレームが前記第１のコンポーネントキャリアの対応するＵＬサブフレームに関連付けられる、を備える、モバイルデバイス。
【請求項６】
前記ＵＬサブフレームが、最小ＨＡＲＱ処理時間を条件としてＤＬサブフレームの前記セット上での前記送信のためにＨＡＲＱフィードバックを与えるための最も近い後続のＵＬサブフレーム
を備える、請求項５に記載のモバイルデバイス。
【請求項７】
前記関連付けが、前記第１のコンポーネントキャリアの前記アップリンクダウンリンク構成に関して前記ＦＤＤサブフレームのためのＨＡＲＱフィードバックの分配を指定する、請求項５に記載のモバイルデバイス。
【請求項８】
モバイルデバイスのための少なくとも時分割複信（ＴＤＤ）の第１のコンポーネントキャリアと周波数分割複信（ＦＤＤ）の第２のコンポーネントキャリアとのキャリアアグリゲーション（ＣＡ）をサポートするアクセスノードによるワイヤレス通信の方法であって、
アップリンク（ＵＬ）サブフレーム上で前記モバイルデバイスから、前記それぞれの第１のコンポーネントキャリアおよび第２のコンポーネントキャリアのＴＤＤサブフレームおよびＦＤＤサブフレームを含むダウンリンク（ＤＬ）サブフレームのセット上での送信に関連付けられた制御情報を受信することと、ここにおいて、前記制御情報は、ハイブリッド自動再送要求（ＨＡＲＱ）フィードバックを備える、
前記第１のコンポーネントキャリアのアップリンクダウンリンク構成に基づいて、ＤＬサブフレームの前記セットと前記ＵＬサブフレームとの間の関連付けを判断することと、
前記アクセスノードによって、前記関連付けに従って前記制御情報を復号することと、ここにおいて、前記ＦＤＤの第２のコンポーネントキャリアの各ＤＬサブフレームが前記第１のコンポーネントキャリアのＵＬサブフレームに関連付けられる、を備える、方法。
【請求項９】
前記ＵＬサブフレームが、最小ＨＡＲＱ処理時間を条件としてＤＬサブフレームの前記セット上での前記送信のためにＨＡＲＱフィードバックを与えるための最も近い後続のＵＬサブフレームを備える、請求項８に記載の方法。
【請求項１０】
前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、請求項８に記載の方法。
【請求項１１】
前記関連付けが、ＨＡＲＱフィードバックの、ＵＬ制御チャネルフォーマットのビットへのマッピングを備える、請求項８に記載の方法。
【請求項１２】
少なくとも時分割複信（ＴＤＤ）の第１のコンポーネントキャリアと周波数分割複信（ＦＤＤ）の第２のコンポーネントキャリアとのキャリアアグリゲーション（ＣＡ）のために構成されたアクセスノードであって、
アップリンク（ＵＬ）サブフレーム上でモバイルデバイスから、前記それぞれの第１のコンポーネントキャリアおよび第２のコンポーネントキャリアのＴＤＤサブフレームおよびＦＤＤサブフレームを含むダウンリンク（ＤＬ）サブフレームのセット上での送信に関連付けられた制御情報を受信するための手段と、ここにおいて、前記制御情報は、ハイブリッド自動再送要求（ＨＡＲＱ）フィードバックを備える、
前記第１のコンポーネントキャリアのアップリンクダウンリンク構成に基づいて、ＤＬサブフレームの前記セットと前記ＵＬサブフレームとの間の関連付けを判断するための手段と、
前記アクセスノードによって、前記関連付けに従って前記制御情報を復号するための手段と、ここにおいて、前記ＦＤＤの第２のコンポーネントキャリアの各ＤＬサブフレームが前記第１のコンポーネントキャリアのＵＬサブフレームに関連付けられる、を備える、アクセスノード。
【請求項１３】
前記ＵＬサブフレームが、最小ＨＡＲＱ処理時間を条件としてＤＬサブフレームの前記セット上での前記送信のためにＨＡＲＱフィードバックを与えるための最も近い後続のＵＬサブフレームを備える、請求項１２に記載のアクセスノード。
【請求項１４】
前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、請求項１２に記載のアクセスノード。
【請求項１５】
コンピュータ上で実行されると、請求項１から請求項４および請求項８から請求項１１のうちの何れかに従って方法を実行するための命令を備える、コンピュータプログラム。
【手続補正２】
【補正対象書類名】明細書
【補正対象項目名】０１６３
【補正方法】変更
【補正の内容】
【０１６３】
[00180]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
[Ｃ１]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスによるワイヤレス通信の方法であって、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断することと、
ＤＬサブフレームの前記セット上での送信に関連付けられた制御情報を生成することと、
前記関連付けに基づいて前記第１のコンポーネントキャリアの前記ＵＬサブフレーム上で前記制御情報を送ることと、ここにおいて、前記ＦＤＤの第２のコンポーネントキャリアの各ＤＬサブフレームが前記第１のコンポーネントキャリアの対応するＵＬサブフレームに関連付けられる、を備える、方法。
[Ｃ２]  前記関連付けは、所定の数以下のＦＤＤサブフレームのための制御情報が前記ＵＬサブフレームに関連付けられるような、１つまたは複数のＦＤＤサブフレームに関連付けられた前記制御情報の分配を備える、Ｃ１に記載の方法。
[Ｃ３]  前記所定の数のＦＤＤサブフレームが１つのＤＬサブフレームを備える、Ｃ２に記載の方法。
[Ｃ４]  前記ＵＬサブフレームが、最小ハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、Ｃ１に記載の方法。
[Ｃ５]  前記関連付けが、前記第１のコンポーネントキャリアの前記アップリンクダウンリンク構成に関して前記ＦＤＤサブフレームのためのＨＡＲＱフィードバックの分配を指定する、Ｃ１に記載の方法。
[Ｃ６]  前記制御情報がＨＡＲＱフィードバックビットを備え、前記制御情報を送ることが、ＤＬサブフレームの前記セット中の２つ以上のサブフレームのために前記ＨＡＲＱフィードバックビットをバンドルすることを備える、Ｃ１に記載の方法。
[Ｃ７]  前記関連付けが、ＨＡＲＱフィードバックの、ＵＬ制御チャネルフォーマットのビットへのマッピングを備える、Ｃ１に記載の方法。
[Ｃ８]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断するための手段と、
ＤＬサブフレームの前記セット上での送信に関連付けられた制御情報を生成するための手段と、
前記関連付けに基づいて前記第１のコンポーネントキャリアの前記ＵＬサブフレーム上で前記制御情報を送るための手段と、ここにおいて、前記ＦＤＤの第２のコンポーネントキャリアの各ＤＬサブフレームが前記第１のコンポーネントキャリアの対応するＵＬサブフレームに関連付けられる、を備える、モバイルデバイス。
[Ｃ９]  前記関連付けは、所定の数以下のＦＤＤサブフレームのための制御情報が前記ＵＬサブフレームに関連付けられるような、１つまたは複数のＦＤＤサブフレームに関連付けられた前記制御情報の分配を備える、Ｃ８に記載のモバイルデバイス。
[Ｃ１０]  前記所定の数のＦＤＤサブフレームが１つのＤＬサブフレームを備える、Ｃ９に記載のモバイルデバイス。
[Ｃ１１]  前記ＵＬサブフレームが、最小のハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、Ｃ８に記載のモバイルデバイス。
[Ｃ１２]  前記関連付けが、前記第１のコンポーネントキャリアの前記アップリンクダウンリンク構成に関して前記ＦＤＤサブフレームのためのＨＡＲＱフィードバックの分配を指定する、Ｃ８に記載のモバイルデバイス。
[Ｃ１３]  前記制御情報がＨＡＲＱフィードバックビットを備え、前記制御情報を送るための前記手段が、ＤＬサブフレームの前記セット中の２つ以上のサブフレームのために前記ＨＡＲＱフィードバックビットをバンドルするためにさらに構成された、Ｃ８に記載のモバイルデバイス。
[Ｃ１４]  前記関連付けが、ＨＡＲＱフィードバックの、ＵＬ制御チャネルフォーマットのビットへのマッピングを備える、Ｃ８に記載のモバイルデバイス。
[Ｃ１５]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのアップリンクダウンリンク構成に基づいて、前記それぞれの第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断することと、
ＤＬサブフレームの前記セット上での送信に関連付けられた制御情報を生成することとを行うように構成された少なくとも１つのプロセッサと、
前記関連付けに基づいて前記第１のコンポーネントキャリアの前記ＵＬサブフレーム上で前記制御情報を送るように構成されたトランシーバと、ここにおいて、前記ＦＤＤの第２のコンポーネントキャリアの各ＤＬサブフレームが前記第１のコンポーネントキャリアの対応するＵＬサブフレームに関連付けられる、
前記少なくとも１つのプロセッサに結合された、データを記憶するためのメモリとを備える、モバイルデバイス。
[Ｃ１６]  前記関連付けは、所定の数以下のＦＤＤサブフレームのための制御情報が前記ＵＬサブフレームに関連付けられるような、１つまたは複数のＦＤＤサブフレームに関連付けられた前記制御情報の分配を備える、Ｃ１５に記載のモバイルデバイス。
[Ｃ１７]  前記所定の数のＦＤＤサブフレームが１つのＤＬサブフレームを備える、Ｃ１６に記載のモバイルデバイス。
[Ｃ１８]  前記ＵＬサブフレームが、最小のハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、Ｃ１５に記載のモバイルデバイス。
[Ｃ１９]  前記制御情報がＨＡＲＱフィードバックビットを備え、前記トランシーバが、前記制御情報を送るようにさらに構成され、ＤＬサブフレームの前記セット中の２つ以上のサブフレームのために前記ＨＡＲＱフィードバックビットをバンドルすることを備える、Ｃ１５に記載のモバイルデバイス。
[Ｃ２０]  前記関連付けが、ＨＡＲＱフィードバックの、ＵＬ制御チャネルフォーマットのビットへのマッピングを備える、Ｃ１５に記載のモバイルデバイス。
[Ｃ２１]  少なくとも１つのコンピュータに、第１のコンポーネントキャリアのアップリンクダウンリンク構成に基づいて、それぞれの前記第１のコンポーネントキャリアおよび第２のコンポーネントキャリアのＴＤＤサブフレームおよびＦＤＤサブフレームを含むダウンリンク（ＤＬ）サブフレームのセットと、前記第１のコンポーネントキャリアのアップリンク（ＵＬ）サブフレームとの間の関連付けを判断することを行わせるためのコードと、
前記少なくとも１つのコンピュータに、ＤＬサブフレームの前記セット上での送信に関連付けられた制御情報を生成することを行わせるためのコードと、
前記少なくとも１つのコンピュータに、前記関連付けに基づいて前記第１のコンポーネントキャリアの前記ＵＬサブフレーム上で前記制御情報を送ることを行わせるためのコードと、ここにおいて、前記ＦＤＤの第２のコンポーネントキャリアの各ＤＬサブフレームが前記第１のコンポーネントキャリアの対応するＵＬサブフレームに関連付けられる、を備えるコンピュータ可読記憶媒体を備える、コンピュータプログラム製品。
[Ｃ２２]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスによるワイヤレス通信の方法であって、
前記第１のコンポーネントキャリアのＤＬサブフレームにおいてリソース許可を受信することと、
前記第１のコンポーネントキャリアのアップリンクダウンリンク構成に基づいて、前記ＤＬサブフレームと、前記それぞれの第１のコンポーネントキャリアおよび第２のコンポーネントキャリアのＴＤＤサブフレームおよびＦＤＤサブフレームを含むサブフレームのセットとの間の関連付けを判断することと、
前記関連付けに基づいて、前記リソース許可に応答してデータを送信または受信するための、サブフレームの前記セット中のサブフレームを識別することと、ここにおいて、前記ＦＤＤの第２のコンポーネントキャリアの各サブフレームが前記第１のコンポーネントキャリアのＤＬサブフレームに関連付けられる、を備える、方法。
[Ｃ２３]  前記関連付けは、所定の数以下のＦＤＤサブフレームが前記第１のＴＤＤコンポーネントキャリアの所与のＤＬサブフレームによってスケジュールされるような、リソース許可によってスケジュールされるサブフレームの分配を備える、Ｃ２２に記載の方法。
[Ｃ２４]  前記関連付けは、前記アップリンクダウンリンク構成に基づいて、リソース許可がそれの上で受信される前記ＤＬサブフレームとスケジュールされるサブフレームとの間のスケジューリング遅延を最小限に抑える、前記リソース許可によってスケジュールされるサブフレームの分配を備える、Ｃ２２に記載の方法。
[Ｃ２５]  前記リソース許可がＤＬ割当てを備え、前記関連付けが、前記第１のコンポーネントキャリアのＵＬサブフレームに対応する前記第２のコンポーネントキャリアのＤＬサブフレームをスケジュールすることを可能にする、Ｃ２４に記載の方法。
[Ｃ２６]  前記リソース許可がＵＬ許可を備え、前記関連付けが、前記第１のコンポーネントキャリアのＤＬサブフレームに対応する前記第２のコンポーネントキャリアのＵＬサブフレームをスケジュールすることを可能にする、Ｃ２４に記載の方法。
[Ｃ２７]  前記リソース許可が、前記第２のコンポーネントキャリアの無線フレーム中のすべてのサブフレームのサブセットをスケジュールする、Ｃ２２に記載の方法。
[Ｃ２８]  前記関連付けを前記判断することが、複数の関連付けを備える前記モバイルデバイスのＲＲＣ構成に基づく、Ｃ２２に記載の方法。
[Ｃ２９]  ダウンリンク制御情報（ＤＣＩ）を受信することをさらに備え、ここにおいて、前記関連付けを前記判断することが、前記ＤＣＩにさらに基づき、前記ＤＣＩが、前記リソース許可のための指定されたコンポーネントキャリアと指定されたサブフレームとを示す情報を備える、Ｃ２２に記載の方法。
[Ｃ３０]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのＤＬサブフレームにおいてリソース許可を受信するための手段と、
前記第１のコンポーネントキャリアのアップリンクダウンリンク構成に基づいて、前記ＤＬサブフレームと、前記それぞれの第１のコンポーネントキャリアおよび第２のコンポーネントキャリアのＴＤＤサブフレームおよびＦＤＤサブフレームを含むサブフレームのセットとの間の関連付けを判断するための手段と、
前記関連付けに基づいて、前記リソース許可に応答してデータを送信または受信するための、サブフレームの前記セット中のサブフレームを識別するための手段と、ここにおいて、前記ＦＤＤの第２のコンポーネントキャリアの各サブフレームが前記第１のコンポーネントキャリアの対応するＤＬサブフレームに関連付けられる、を備える、モバイルデバイス。
[Ｃ３１]  前記関連付けは、所定の数以下のＦＤＤサブフレームが前記第１のＴＤＤコンポーネントキャリアの所与のＤＬサブフレームによってスケジュールされるような、リソース許可によってスケジュールされるサブフレームの分配を備える、Ｃ３０に記載のモバイルデバイス。
[Ｃ３２]  前記関連付けは、前記アップリンクダウンリンク構成に基づいて、リソース許可がそれの上で受信される前記ＤＬサブフレームとスケジュールされるサブフレームとの間のスケジューリング遅延を最小限に抑える、前記リソース許可によってスケジュールされるサブフレームの分配を備える、Ｃ３０に記載のモバイルデバイス。
[Ｃ３３]  前記リソース許可がＤＬ割当てを備え、前記関連付けが、前記第１のコンポーネントキャリアのＵＬサブフレームに対応する前記第２のコンポーネントキャリアのＤＬサブフレームをスケジュールすることを可能にする、Ｃ３２に記載のモバイルデバイス。
[Ｃ３４]  前記リソース許可がＵＬ許可を備え、前記関連付けが、前記第１のコンポーネントキャリアのＤＬサブフレームに対応する前記第２のコンポーネントキャリアのＵＬサブフレームをスケジュールすることを可能にする、Ｃ３２に記載のモバイルデバイス。
[Ｃ３５]  前記リソース許可が、前記第２のコンポーネントキャリアの無線フレーム中のすべてのサブフレームのサブセットをスケジュールする、Ｃ３０に記載のモバイルデバイス。
[Ｃ３６]  前記関連付けを判断するための前記手段が、複数の関連付けを備える前記モバイルデバイスのＲＲＣ構成に基づいて判断するためにさらに構成された、Ｃ３０に記載のモバイルデバイス。
[Ｃ３７]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたモバイルデバイスであって、前記モバイルデバイスは、
前記第１のコンポーネントキャリアのＤＬサブフレームにおいてリソース許可を受信するように構成されたトランシーバと、
前記第１のコンポーネントキャリアのアップリンクダウンリンク構成に基づいて、前記ＤＬサブフレームと、前記それぞれの第１のコンポーネントキャリアおよび第２のコンポーネントキャリアのＴＤＤサブフレームおよびＦＤＤサブフレームを含むサブフレームのセットとの間の関連付けを判断することと、
前記関連付けに基づいて、前記リソース許可に応答してデータを送信または受信するための、サブフレームの前記セット中のサブフレームを識別することと、ここにおいて、前記ＦＤＤの第２のコンポーネントキャリアの各サブフレームが前記第１のコンポーネントキャリアの対応するＤＬサブフレームに関連付けられる、を行うように構成された少なくとも１つのプロセッサと、
前記少なくとも１つのプロセッサに結合された、データを記憶するためのメモリとを備える、モバイルデバイス。
[Ｃ３８]  前記関連付けは、所定の数以下のＦＤＤサブフレームが前記第１のＴＤＤコンポーネントキャリアの所与のＤＬサブフレームによってスケジュールされるような、リソース許可によってスケジュールされるサブフレームの分配を備える、Ｃ３７に記載のモバイルデバイス。
[Ｃ３９]  前記関連付けは、前記アップリンクダウンリンク構成に基づいて、リソース許可がそれの上で受信される前記ＤＬサブフレームとスケジュールされるサブフレームとの間のスケジューリング遅延を最小限に抑える、前記リソース許可によってスケジュールされるサブフレームの分配を備える、Ｃ３７に記載のモバイルデバイス。
[Ｃ４０]  前記リソース許可がＤＬ割当てを備え、前記関連付けが、前記第１のコンポーネントキャリアのＵＬサブフレームに対応する前記第２のコンポーネントキャリアのＤＬサブフレームをスケジュールすることを可能にする、Ｃ３９に記載のモバイルデバイス。
[Ｃ４１]  前記リソース許可がＵＬ許可を備え、前記関連付けが、前記第１のコンポーネントキャリアのＤＬサブフレームに対応する前記第２のコンポーネントキャリアのＵＬサブフレームをスケジュールすることを可能にする、Ｃ３９に記載のモバイルデバイス。
[Ｃ４２]  前記リソース許可が、前記第２のコンポーネントキャリアの無線フレーム中のすべてのサブフレームのサブセットをスケジュールする、Ｃ３７に記載のモバイルデバイス。
[Ｃ４３]  前記少なくとも１つのプロセッサが、複数の関連付けを備える前記モバイルデバイスのＲＲＣ構成に基づいて前記関連付けを判断するようにさらに構成された、Ｃ３７に記載のモバイルデバイス。
[Ｃ４４]  少なくとも１つのコンピュータに、第１のコンポーネントキャリアのＤＬサブフレームにおいてリソース許可を受信することを行わせるためのコードと、
前記少なくとも１つのコンピュータに、前記第１のコンポーネントキャリアのアップリンクダウンリンク構成に基づいて、前記ＤＬサブフレームと、それぞれの前記第１のコンポーネントキャリアおよび第２のコンポーネントキャリアのＴＤＤサブフレームおよびＦＤＤサブフレームを含むサブフレームのセットとの間の関連付けを判断することを行わせるためのコードと、
前記少なくとも１つのコンピュータに、前記関連付けに基づいて、前記リソース許可に応答してデータを送信または受信するための、サブフレームの前記セット中のサブフレームを識別することを行わせるためのコードと、ここにおいて、前記ＦＤＤの第２のコンポーネントキャリアの各サブフレームが前記第１のコンポーネントキャリアの対応するＤＬサブフレームに関連付けられる、を備えるコンピュータ可読記憶媒体を備える、コンピュータプログラム製品。
[Ｃ４５]  モバイルデバイスのための少なくとも時分割二重（ＴＤＤ）の第１のコンポーネントキャリアと周波数分割二重（ＦＤＤ）の第２のコンポーネントキャリアとのキャリアアグリゲーション（ＣＡ）をサポートするアクセスノードによるワイヤレス通信の方法であって、
アップリンク（ＵＬ）サブフレーム上で前記モバイルデバイスから、前記それぞれの第１のコンポーネントキャリアおよび第２のコンポーネントキャリアのＴＤＤサブフレームおよびＦＤＤサブフレームを含むダウンリンク（ＤＬ）サブフレームのセット上での送信に関連付けられた制御情報を受信することと、
前記第１のコンポーネントキャリアのアップリンクダウンリンク構成に基づいて、ＤＬサブフレームの前記セットと前記ＵＬサブフレームとの間の関連付けを判断することと、
前記アクセスノードによって、前記関連付けに従って前記制御情報を復号することと、ここにおいて、前記ＦＤＤの第２のコンポーネントキャリアの各ＤＬサブフレームが前記第１のコンポーネントキャリアのＵＬサブフレームに関連付けられる、を備える、方法。
[Ｃ４６]  前記関連付けは、所定の数以下のＦＤＤサブフレームのための制御情報が前記ＤＬサブフレームに関連付けられるような、前記第２のコンポーネントキャリアのサブフレームに関連付けられた制御情報の分配を備える、Ｃ４５に記載の方法。
[Ｃ４７]  前記ＵＬサブフレームが、最小ハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、Ｃ４５に記載の方法。
[Ｃ４８]  前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、Ｃ４５に記載の方法。
[Ｃ４９]  前記関連付けが、ＨＡＲＱフィードバックの、ＵＬ制御チャネルフォーマットのビットへのマッピングを備える、Ｃ４５に記載の方法。
[Ｃ５０]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、
アップリンク（ＵＬ）サブフレーム上でモバイルデバイスから、前記それぞれの第１のコンポーネントキャリアおよび第２のコンポーネントキャリアのＴＤＤサブフレームおよびＦＤＤサブフレームを含むダウンリンク（ＤＬ）サブフレームのセット上での送信に関連付けられた制御情報を受信するための手段と、
前記第１のコンポーネントキャリアのアップリンクダウンリンク構成に基づいて、ＤＬサブフレームの前記セットと前記ＵＬサブフレームとの間の関連付けを判断するための手段と、
前記アクセスノードによって、前記関連付けに従って前記制御情報を復号するための手段と、ここにおいて、前記ＦＤＤの第２のコンポーネントキャリアの各ＤＬサブフレームが前記第１のコンポーネントキャリアのＵＬサブフレームに関連付けられる、を備える、アクセスノード。
[Ｃ５１]  前記関連付けは、所定の数以下のＦＤＤサブフレームのための制御情報が前記ＤＬサブフレームに関連付けられるような、前記第２のコンポーネントキャリアのサブフレームに関連付けられた制御情報の分配を備える、Ｃ５０に記載のアクセスノード。
[Ｃ５２]  前記ＵＬサブフレームが、最小ハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、Ｃ５０に記載のアクセスノード。
[Ｃ５３]  前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、Ｃ５０に記載のアクセスノード。
[Ｃ５４]  前記関連付けが、ＨＡＲＱフィードバックの、ＵＬ制御チャネルフォーマットのビットへのマッピングを備える、Ｃ５０に記載のアクセスノード。
[Ｃ５５]  モバイルデバイスのための少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、
アップリンク（ＵＬ）サブフレーム上で前記モバイルデバイスから、前記それぞれの第１のコンポーネントキャリアおよび第２のコンポーネントキャリアのＴＤＤサブフレームおよびＦＤＤサブフレームを含むダウンリンク（ＤＬ）サブフレームのセット上での送信に関連付けられた制御情報を受信するように構成されたトランシーバと、
前記第１のコンポーネントキャリアのアップリンクダウンリンク構成に基づいて、ＤＬサブフレームの前記セットと前記ＵＬサブフレームとの間の関連付けを判断することと、
前記アクセスノードによって、前記関連付けに従って前記制御情報を復号することと、ここにおいて、前記ＦＤＤの第２のコンポーネントキャリアの各ＤＬサブフレームが前記第１のコンポーネントキャリアのＵＬサブフレームに関連付けられる、を行うように構成された少なくとも１つのプロセッサと、
前記少なくとも１つのプロセッサに結合された、データを記憶するためのメモリとを備える、アクセスノード。
[Ｃ５６]  前記関連付けは、所定の数以下のＦＤＤサブフレームのための制御情報が前記ＤＬサブフレームに関連付けられるような、前記第２のコンポーネントキャリアのサブフレームに関連付けられた制御情報の分配を備える、Ｃ５５に記載のアクセスノード。
[Ｃ５７]  前記ＵＬサブフレームが、最小のハイブリッド自動再送要求（ＨＡＲＱ）処理時間を条件としてＤＬサブフレームの前記セット上での前記送信のためにＨＡＲＱフィードバックを与えるための最も近い後続のＵＬサブフレームを備える、Ｃ５５に記載のアクセスノード。
[Ｃ５８]  前記制御情報が、バンドルされたＨＡＲＱフィードバックを備え、前記制御情報を復号することが、前記関連付けられた１つまたは複数のＦＤＤサブフレームのステータスを判断するために前記ＨＡＲＱフィードバックを復号することを備える、Ｃ５５に記載のアクセスノード。
[Ｃ５９]  前記関連付けが、ＨＡＲＱフィードバックの、ＵＬ制御チャネルフォーマットのビットへのマッピングを備える、Ｃ５５に記載のアクセスノード。
[Ｃ６０]  少なくとも１つのコンピュータに、アップリンク（ＵＬ）サブフレーム上でモバイルデバイスから、それぞれの第１のコンポーネントキャリアおよび第２のコンポーネントキャリアのＴＤＤサブフレームおよびＦＤＤサブフレームを含むダウンリンク（ＤＬ）サブフレームのセット上での送信に関連付けられた制御情報を受信することを行わせるためのコードと、
前記少なくとも１つのコンピュータに、前記第１のコンポーネントキャリアのアップリンクダウンリンク構成に基づいて、ＤＬサブフレームの前記セットと前記ＵＬサブフレームとの間の関連付けを判断することを行わせるためのコードと、
前記少なくとも１つのコンピュータに、アクセスノードによって、前記関連付けに従って前記制御情報を復号することを行わせるためのコードと、ここにおいて、前記ＦＤＤの第２のコンポーネントキャリアの各ＤＬサブフレームが前記第１のコンポーネントキャリアのＵＬサブフレームに関連付けられる、を備えるコンピュータ可読記憶媒体を備える、コンピュータプログラム製品。
[Ｃ６１]  モバイルデバイスのための少なくとも時分割二重（ＴＤＤ）の第１のコンポーネントキャリアと周波数分割二重（ＦＤＤ）の第２のコンポーネントキャリアとのキャリアアグリゲーション（ＣＡ）をサポートするアクセスノードによるワイヤレス通信の方法であって、
前記第１のコンポーネントキャリアのアップリンクダウンリンク構成に基づいて、前記第１のコンポーネントキャリアのＤＬサブフレームと、前記それぞれの第１のコンポーネントキャリアおよび第２のコンポーネントキャリアのＴＤＤサブフレームおよびＦＤＤサブフレームを含むサブフレームのセットとの間の関連付けを判断することと、
前記ＤＬサブフレームにおいて前記モバイルデバイスにリソース許可を送ることと、ここにおいて、前記リソース許可が、前記関連付けに基づいてサブフレームの前記セット中のサブフレームに関して前記モバイルデバイスによるデータの送信または受信をスケジュールし、ここにおいて、前記ＦＤＤの第２のコンポーネントキャリアの各サブフレームが前記第１のコンポーネントキャリアのＤＬサブフレームに関連付けられる、を備える、方法。
[Ｃ６２]  前記関連付けが、前記アップリンクダウンリンク構成に基づいて、前記ＤＬサブフレームとスケジュールされるサブフレームとの間のスケジューリング遅延を最小限に抑える、リソース許可によるスケジューリングのためのサブフレームの分配を備える、Ｃ６１に記載の方法。
[Ｃ６３]  前記リソース許可がＤＬ割当てを備え、前記関連付けが、前記第１のコンポーネントキャリアのＵＬサブフレームに対応する前記第２のコンポーネントキャリアのＤＬサブフレームをスケジュールすることを可能にする、Ｃ６１に記載の方法。
[Ｃ６４]  前記リソース許可がＵＬ許可を備え、前記関連付けが、前記第１のコンポーネントキャリアのＤＬサブフレームに対応する前記第２のコンポーネントキャリアのＵＬサブフレームをスケジュールすることを可能にする、Ｃ６１に記載の方法。
[Ｃ６５]  前記関連付けが、前記ＤＬサブフレームのサブフレーム番号に対する１つまたは複数のサブフレームオフセットを備える、Ｃ６１に記載の方法。
[Ｃ６６]  複数の関連付けからの前記関連付けの選択を示すＲＲＣ構成メッセージを送る、Ｃ６１に記載の方法。
[Ｃ６７]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、前記アクセスノードは、
前記第１のコンポーネントキャリアのアップリンクダウンリンク構成に基づいて、前記第１のコンポーネントキャリアのＤＬサブフレームと、前記それぞれの第１のコンポーネントキャリアおよび第２のコンポーネントキャリアのＴＤＤサブフレームおよびＦＤＤサブフレームを含むサブフレームのセットとの間の関連付けを判断するための手段と、
前記ＤＬサブフレームにおいてモバイルデバイスにリソース許可を送るための手段と、ここにおいて、前記リソース許可が、前記関連付けに基づいてサブフレームの前記セット中のサブフレームに関して前記モバイルデバイスによるデータの送信または受信をスケジュールし、ここにおいて、前記ＦＤＤの第２のコンポーネントキャリアの各サブフレームが前記第１のコンポーネントキャリアのＤＬサブフレームに関連付けられる、を備える、アクセスノード。
[Ｃ６８]  前記関連付けが、前記アップリンクダウンリンク構成に基づいて、前記ＤＬサブフレームとスケジュールされるサブフレームとの間のスケジューリング遅延を最小限に抑える、リソース許可によるスケジューリングのためのサブフレームの分配を備える、Ｃ６７に記載のアクセスノード。
[Ｃ６９]  前記リソース許可がＤＬ割当てを備え、前記関連付けが、前記第１のコンポーネントキャリアのＵＬサブフレームに対応する前記第２のコンポーネントキャリアのＤＬサブフレームをスケジュールすることを可能にする、Ｃ６７に記載のアクセスノード。
[Ｃ７０]  前記リソース許可がＵＬ許可を備え、前記関連付けが、前記第１のコンポーネントキャリアのＤＬサブフレームに対応する前記第２のコンポーネントキャリアのＵＬサブフレームをスケジュールすることを可能にする、Ｃ６７に記載のアクセスノード。
[Ｃ７１]  複数の関連付けからの前記関連付けの選択を示すＲＲＣ構成メッセージを送るための手段をさらに備える、Ｃ６７に記載のアクセスノード。
[Ｃ７２]  少なくとも時分割二重（ＴＤＤ）の第１のコンポーネントキャリアと周波数分割二重（ＦＤＤ）の第２のコンポーネントキャリアとのキャリアアグリゲーション（ＣＡ）のために構成されたアクセスノードであって、前記アクセスノードは、
前記第１のコンポーネントキャリアのアップリンクダウンリンク構成に基づいて、前記第１のコンポーネントキャリアのＤＬサブフレームと、前記それぞれの第１のコンポーネントキャリアおよび第２のコンポーネントキャリアのＴＤＤサブフレームおよびＦＤＤサブフレームを含むサブフレームのセットとの間の関連付けを判断するように構成された少なくとも１つのプロセッサと、
前記ＤＬサブフレームにおいてモバイルデバイスにリソース許可を送るように構成されたトランシーバと、ここにおいて、前記リソース許可が、前記関連付けに基づいてサブフレームの前記セット中のサブフレームに関して前記モバイルデバイスによるデータの送信または受信をスケジュールし、ここにおいて、前記ＦＤＤの第２のコンポーネントキャリアの各サブフレームが前記第１のコンポーネントキャリアのＤＬサブフレームに関連付けられる、
前記少なくとも１つのプロセッサに結合された、データを記憶するためのメモリとを備える、アクセスノード。
[Ｃ７３]  前記関連付けが、前記アップリンクダウンリンク構成に基づいて、前記ＤＬサブフレームとスケジュールされるサブフレームとの間のスケジューリング遅延を最小限に抑える、リソース許可によるスケジューリングのためのサブフレームの分配を備える、Ｃ７２に記載のアクセスノード。
[Ｃ７４]  前記リソース許可がＤＬ割当てを備え、前記関連付けが、前記第１のコンポーネントキャリアのＵＬサブフレームに対応する前記第２のコンポーネントキャリアのＤＬサブフレームをスケジュールすることを可能にする、Ｃ７２に記載のアクセスノード。
[Ｃ７５]  前記リソース許可がＵＬ許可を備え、前記関連付けが、前記第１のコンポーネントキャリアのＤＬサブフレームに対応する前記第２のコンポーネントキャリアのＵＬサブフレームをスケジュールすることを可能にする、Ｃ７２に記載のアクセスノード。
[Ｃ７６]  前記トランシーバが、複数の関連付けからの前記関連付けの選択を示すＲＲＣ構成メッセージを送るようにさらに構成された、Ｃ７２に記載のアクセスノード。
[Ｃ７７]  少なくとも１つのコンピュータに、第１のコンポーネントキャリアのアップリンクダウンリンク構成に基づいて、前記第１のコンポーネントキャリアのＤＬサブフレームと、それぞれの前記第１のコンポーネントキャリアおよび第２のコンポーネントキャリアのＴＤＤサブフレームおよびＦＤＤサブフレームを含むサブフレームのセットとの間の関連付けを判断することを行わせるためのコードと、
少なくとも１つのコンピュータに、前記ＤＬサブフレームにおいてモバイルデバイスにリソース許可を送ることを行わせるためのコードと、ここにおいて、前記リソース許可が、前記関連付けに基づいてサブフレームの前記セット中のサブフレームに関して前記モバイルデバイスによるデータの送信または受信をスケジュールし、ここにおいて、前記ＦＤＤの第２のコンポーネントキャリアの各サブフレームが前記第１のコンポーネントキャリアのＤＬサブフレームに関連付けられる、を備えるコンピュータ可読記憶媒体を備える、コンピュータプログラム製品。